(57)【特許請求の範囲】
【請求項１】
コンクリートを基材とする植栽基盤であって、
該コンクリートからなる基材層の表面に、ポリ（Ｎ−ビニルアセトアミド）、ポリアクリル酸ナトリウム、ポリアクリルアミド、ポリビニルアルコールからなる群より選択された保水性高分子をコンクリート配合物に混合し、硬化させて得られる保水層を有することを特徴とする植栽基盤。
【請求項２】
コンクリートを基材とする植栽基盤であって、
該コンクリートからなる基材層の表面に、ポリ（Ｎ−ビニルアセトアミド）、ポリアクリル酸ナトリウム、ポリアクリルアミド、ポリビニルアルコールからなる群より選択された保水性高分子と、可撓性と透水性を有する物質からなる支持体とを混合し、該支持体と保水性高分子の間隙にコンクリートを打設し、硬化させて得られた保水層を有することを特徴とする植栽基盤。
【請求項３】
前記可撓性と透水性を有する物質からなる支持体が、ピートモス、木材チップ、藁、バーグ堆肥、及び、シュロから選択される繊維状有機材料、これらの繊維状物質を編成してなる網状体シート、スポンジ状の可撓性を有する多孔質体の塊状体及びそのシート状物及びこれらの混合物であることを特徴とする請求項２に記載の植栽基盤。
【請求項４】
前記保水性高分子がポリ（Ｎ−ビニルアセトアミド）であることを特徴とする請求項１乃至請求項３のいずれか１項に記載の植栽基盤。
【請求項５】
前記保水性高分子に、予め肥料、雑草生育抑制剤、抗菌剤、殺虫剤から選択される有効成分を混合することを特徴とする請求項１乃至請求項４のいずれか１項に記載の植栽基盤。
【請求項６】
前記保水性高分子及びコンクリートを含有する保水層の下方に、根止め用材料を埋設することを特徴とする請求項１乃至請求項５のいずれか１項に記載の植栽基盤。
【発明の詳細な説明】
【０００１】
【産業上の利用分野】
本発明は、植栽基盤に関し、特に、保水性及び強度に優れ、屋上などの緑化に適する植栽基盤に関する。
【０００２】
【従来の技術】
従来、植栽基盤は、ポーラスコンクリートあるいは砕石をセメントで結合してなる多孔質体等、内部に保水のための空隙を有する基盤、さらに、その多孔質体の空隙に保水材を充填してなるもの等が使用されている。
【０００３】
多孔質体は、植物の生育に十分な保水性を確保するため、内部に２０％以上の空隙を有していることが好ましく、このような空隙を有することから、特に、強度が不足しがちであった。植物の根の生育によるひび割れなどを防止し、基盤として十分な強度を持たせるためには、基盤自体の厚みを十分にとる必要があり、このため、重量や厚みの関係で配置場所が制限され、保水用に内部に空隙のみを有する従来の植栽基盤は、屋上などへの設置に適するものとは言い難かった。
【０００４】
【発明が解決しようとする課題】
前記の如く、従来の植栽基盤においては、強度が十分であり、全体のサイズが任意に選択でき、且つ、植物の健全な成育を妨げずに、十分な保水性を有する植栽基盤を得ることは困難であった。
【０００５】
本発明はこれらの欠点を考慮してなされたものであり、本発明の目的は、植物の成育に適する保水性を有し、強度が十分であって、且つ、サイズが任意に選択できる、屋上などへの配置にも適する植栽基盤を提供することにある。
【０００６】
【課題を解決するための手段】
本発明の請求項１記載の植栽基盤は、コンクリートを基材とする植栽基盤であって、該コンクリートからなる基材層の表面に、ポリ（Ｎ−ビニルアセトアミド）、ポリアクリル酸ナトリウム、ポリアクリルアミド、ポリビニルアルコールからなる群より選択された保水性高分子をコンクリート配合物に混合し、硬化させて得られる保水層を有することを特徴とする。
また、本発明の請求項２記載の植栽基盤は、コンクリートを基材とする植栽基盤であって、該コンクリートからなる基材層の表面に、ポリ（Ｎ−ビニルアセトアミド）、ポリアクリル酸ナトリウム、ポリアクリルアミド、ポリビニルアルコールからなる群より選択された保水性高分子をと、可撓性と透水性を有する多孔質体からなる支持体とを混合し、該支持体と保水性高分子の間隙にコンクリートを打設し、硬化させて得られた保水層を有することを特徴とする。
ここで用いられる保水性高分子としては、ポリ（Ｎ−ビニルアセトアミド）が好ましい。
【０００７】
本発明の請求項４記載の植栽基盤は、前記請求項１乃至請求項３のいずれか１項に記載の植栽基盤であって、前記保水性高分子に、予め肥料、雑草生育抑制剤、抗菌剤、殺虫剤から選択される有効成分を混合することを特徴とする。
【０００８】
本発明の請求項５記載の植栽基盤は、前記請求項１乃至請求項４のいずれか１項に記載の植栽基盤であって、前記保水性高分子及びコンクリートを含有する保水層の下方に、根止め用材料を埋設することを特徴とする。
【０００９】
本発明の植栽基盤は、コンクリートの表面に、ポリ（Ｎ−ビニルアセトアミド）、ポリアクリル酸ナトリウム、ポリアクリルアミド、ポリビニルアルコールからなる群より選択された保水性高分子を混合してなる保水性の高い層が形成されているため、植栽基盤基材の強度を低下させずに保水性を確保しうる。この保水性高分子は、湿潤時には周囲の水分を吸収・保持し、乾燥時には保持した水分を徐々に放出するため、植物の生育に必要な保水性を確保することができる。さらに、この保水性高分子に予め肥料、雑草生育抑制剤、抗菌剤などの有効成分を混合することにより、水分と共に保持された有効成分が徐放され、有効成分の効果が持続する。また、植栽基盤を構成するコンクリートの下方に、根止めシートなどの根止め用材料を埋設することにより、植物の根が基盤の深部に至るまで伸長して基盤が割れるのを防止し得る。
【００１０】
【実施例】
（実施例１）
本発明の植栽基盤１０は、図１に概略断面図として示すように、全体がコンクリート１２を主体として形成されており、表面（植物を植設する側）には、コンクリートに保水性高分子１４が混合されており、保水性の高い部分（以下、適宜、保水層と称する）１６が形成されている。保水性高分子１４としては、ポリ（Ｎ−ビニルアセトアミド）が用いられている。
【００１１】
この保水層１６の下部には、根止め用の鋼板１８が埋設され、さらにコンクリート１２のみからなる基材層が配置されている。
【００１２】
次に、植栽基盤１０の製造方法について説明する。
まず、植栽基盤１０を形成するための型枠を組み立て、その内部に型枠の１／２程度の高さまでコンクリートを打設して基材層を形成し、その上部に根止め用の鋼板１８を配設して、コンクリート基材層と根止め用の鋼板１８との積層体を得る。
【００１３】
保水性高分子１４としては、ポリ（Ｎ−ビニルアセトアミド）が用いられる。このポリ（Ｎ−ビニルアセトアミド）は、下記式（１）で表されるＮ−ビニルアセトアミドモノマーを構成単位として含む架橋構造を有する重合体であり、下記式（２）で表される如き構造を有する。この架橋構造を有するポリ（Ｎ−ビニルアセトアミド）は、通常は粒径４００〜９００μｍ程度の水不溶性の粉末であるが、吸水後は粒径０．５〜２ｍｍを有するゼリー状の粒子となる。
【００１４】
【化１】
0003805015.tif 000002
【００１５】
この粉体状のポリ（Ｎ−ビニルアセトアミド）を、水と水溶性肥料とを混合した溶液に浸漬、混合し、十分に吸水させて、粒径０．５〜２ｍｍのゼリー状の高分子粒子１４を得る。この保水性高分子粒子１４を、予めセメント、水、骨材などの必要な成分を配合したコンクリート配合物に混合し、前記型枠内に配置した根止め用の鋼板１８の上部に打設し、硬化させる。
【００１６】
保水性高分子１４の含有量は、十分な保水性を確保し、保水層１６の強度低下を生じない範囲で適宜選択しうる。
【００１７】
このようにして、保水性高分子粒子１４を混合したコンクリート１２からなる保水層１６が表面に形成された植栽基盤１０が完成する。
【００１８】
この植栽基盤１０は、基材としてのコンクリート層が形成されて十分な強度を有し、さらに、根止め用材料である鋼板１８を埋設することにより、強度の向上に加えて、引張力をも持たせることができるため、例えば、人が植栽基盤１０上を歩行しても問題ない程の強度と耐久性を有している。
【００１９】
また、表面のコンクリート１２中に混合された保水性高分子粒子１４は、その内部に水分を保持していることから、植栽基盤１０に植設された植物に対する水遣りの頻度が少なくてすみ、また、本実施例の場合には水分と同時に水溶性の肥料をも保持していることから、保持された肥料が徐々に溶出し、肥料の効果の持続性にも優れるという利点を有する。また、保水層１６が空隙を有しないため、保水層１６を表面に形成したことによる強度の低下も殆どない。このため、植栽基盤１０全体を薄くなすことができ、重量、保水性及び耐久性の観点から、屋上などにも好適に使用し得る。
（実施例２）
図２には、本発明の第２実施例の植栽基盤２０の概略断面図が示されている。植栽基盤２０は、全体がコンクリートを主体として形成されており、表面（植物を植設する側）には、スポンジシート片からなる支持体２２の間隙に保水性高分子１４を保持させてなる保水層２４が設けられている。保水性高分子１４としては、ポリ（Ｎ−ビニルアセトアミド）が用いられている。この保水層２４の下部には、根止め用の鋼板１８が埋設され、さらにその下部にはコンクリートからなる基材層が形成されている。
【００２０】
ここでは、植栽基盤２０の保水層２２は、前記保水性高分子粒子１４をスポンジシート片からなる支持体２２の間隙に保持させて構成されている。支持体２２としては、その内部の空隙に保水性高分子粒子１４を保持させることができ、可撓性と透水性を有する物質であれば特に制限はないが、可撓性と透水性を有する多孔質体が好ましい。
【００２１】
この植栽基盤２０の製造方法について説明するに、まず、植栽基盤２０を形成するための型枠を組み立て、その内部に型枠の１／２程度の高さまでコンクリートを打設し、その上部に根止め用の鋼板１８を配設して、コンクリート基材層と根止め用の鋼板１６との積層体を得る。
【００２２】
保水性高分子として用いられるポリ（Ｎ−ビニルアセトアミド）を、雑草生育抑制剤を溶解した水溶液に浸漬、混合し、十分に吸水させて、粒径０．５〜２ｍｍのゼリー状の高分子粒子１４を得る。この高分子粒子１４を、予めシート状に成形し、切断したスポンジ製の支持体２２と混合して、支持体２２の空隙及び支持体２２間に形成された空隙にゼリー状の高分子粒子１４を保持した保水層２４を得て、根止め用の鋼板１６上に配置し、支持体２２と保水性高分子１４の空隙にコンクリート１２を打設して硬化させ、コンクリート１２と保水性高分子１４と支持体２２とが混合してなる保水層２４が表面に形成された植栽基盤２０が完成する。
【００２３】
前記各実施例では、根止め用材料（根止めシート）として鋼板を用いているが、必ずしもこれに制限されず、植栽基盤に所望の強度を有し、植物の根の伸長を阻止しうるものであれば、種々の材料から選択することができる。特に、植栽基盤に芝生の如き植物を植栽する場合、人が植栽基盤上を歩行することが想定されるが、その場合には根止めシートとして引張力を有する材料を用いることが好ましく、鋼板、デッキプレート等が好適に使用される。図３は、根止め用材料として実施例１における鋼板に換えてデッキプレート２６を用いた植栽基盤２８を示す概略断面図である。
【００２４】
また、保水性高分子としては、公知の土壌改良剤などに使用される高分子吸収体、例えば、ポリ（Ｎ−ビニルアセトアミド）、ポリアクリル酸ナトリウム、ポリアクリルアミド、ポリビニルアルコール等からなり、架橋や分子量調整によって水不溶性とされた保水性高分子を用いることができる。なかでも、繰り返し吸水、脱水を行っても吸水性能が低下せず、紫外線による劣化を生じにくく、植物の吸水を妨げないなどの利点を有するポリ（Ｎ−ビニルアセトアミド）が好ましい。
【００２５】
前記保水性高分子と共に使用される支持体としては、ピートモス、木材チップ、藁、バーグ堆肥、シュロ等の繊維状有機材料、これらの繊維状物質を編成してなる網状体シート、スポンジ等の可撓性を有する多孔質体の塊状体やシート状物、及びこれらの混合物が挙げられる。ここで支持体として弱酸性のピートモス等を用いると、コンクリートのアルカリ性を中和することができるため、植栽される植物の生育の観点からは好ましい。また、これらの支持体に有機固形肥料等の肥料を混合して用いることもできる。
【００２６】
本発明の前記各実施例においては、保水性高分子に予め肥料を溶解させた水溶液を吸収させたが、保水性高分子に混合して用いる有効成分はこれに限定されず、保水性高分子に担持させて除放しうるものであれば任意に選択でき、例えば、クマリンなどのアレロパシー物質を含む雑草生育抑制剤、抗菌剤、殺虫剤から選択される有効成分を混合して用いることができる。特に、植栽される植物に有害な雑草類のアレロパシー物質が明らかな場合には、これを保水性高分子に混合し、担持させて用いることにより、除草剤などの有害な化学物質を使用することなく、植栽基盤の雑草の生育を抑えて、植栽の美観を保持することができる。
【００２７】
【発明の効果】
本発明の植栽基盤は前記構成としたため、植物の成育に適する保水性を有し、強度が十分であって、且つ、サイズが任意に選択できる、屋上などへの配置にも適するという優れた効果を示す。
【図面の簡単な説明】
【図１】コンクリート表面に保水性高分子を混合した層が配置された実施例１の植栽基盤を示す概略断面図である。
【図２】保水性高分子と支持体とを含有する層が形成されてなる実施例２の植栽基盤を示す概略断面図である。
【図３】根止め用材料としてデッキプレートを用いた植栽基盤を示す概略断面図である。
【符号の説明】
１０  植栽基盤
１２  コンクリート
１４  保水性高分子〔ポリ（Ｎ−アセトアミド）〕粒子
１６  保水層
１８  鋼板（根止め用材料）
２０  植栽基盤
２２  支持体
２４  保水層
２６  デッキプレート（根止め用材料）
２８  植栽基盤
【図１】
0003805015.tif 000003
【図２】
0003805015.tif 000004
【図３】
0003805015.tif 000005